(57)【要約】      （修正有）【課題】容器に収容した二種の飲料を混合して飲用する飲料混合装置を提供する。【解決手段】瓶蓋２０は、容器の瓶口に設置する内ネジ山、容器の瓶口を閉める蓋板２２を備える。また蓋板の底面には下向き中空の螺旋道２４を内ネジ山と反対方向で同心に設け、また蓋板の底面には螺旋道と内ネジ山の間に同心の螺合部２６を設ける。該螺合部の間隔と螺旋方向は、内ネジ山と同じで、直接セパレート体３０最上縁の螺合停止部３４に当てて螺合する。このセパレート体は容器の瓶口１１内に差し込んで固定し、仕切膜３１で底部を封鎖して、第二種飲料を溜める中空の貯留室３３とし、貯留室内にはリング型差込刃４０を設けて、そのリング型差込刃は螺旋道と合致する螺旋面４４を備えて、瓶蓋の回転に伴って瓶蓋の螺合部によりセパレート体を下降させ、リング型差込刃を下に押し下げて仕切膜を破り、貯留室を開封して第二種飲料を容器中の第一種飲料と混合する。【選択図】図５
0003152288.tif 000002
【実用新案登録請求の範囲】
【請求項１】
瓶蓋、セパレート体及びリング型差込刃から構成される、操作が簡単な飲料混合装置において、
瓶蓋は、容器の瓶口に螺合する内ネジ山、及び容器の瓶口を閉める蓋板を備え、該蓋板の底面には下向きに中空の螺旋道を設け、この螺旋道の螺旋方向は、内ネジ山孔と反対で且つ互いに同心に形成し、また蓋板底面側には、該螺旋道と該内ネジ山の間に別に同心の螺合部を設けると共に該螺合部の間隔及び螺旋方向は、内ネジ山と同じとし、
瓶口に差し込んで定位するセパレート体は、仕切膜で底部を封鎖した中空の貯留室を備え、またセパレート体の最上縁は上記瓶蓋の螺合部と対応する螺合停止部を設けて瓶蓋を回して緩めるに伴って該螺合部が徐々に螺合停止部から離れ方向に移動するようにし、
該リング型差込刃は、貯留室内に設置して、上記瓶蓋の螺旋軌道と合致する螺旋面を備え、瓶蓋の回転に伴って瓶蓋の螺合部が徐々にセパレート体の螺合停止部から離れる方向に移動してリング型差込刃を下降させて仕切膜を押して破ることを特徴とする操作が簡単な飲料混合装置。
【請求項２】
前記蓋板は、底面に下向きに延びた中空の駆動桿を備え、該駆動桿の最上縁の外周には下向きに中空の螺旋道を設け、蓋板底面には別に螺旋道と内ネジ山の間に同心のリングパッドを設け、瓶蓋の上記螺合部は該リングパッド内周に設け、またリング型差込刃の最上縁には駆動桿を挿入する駆動桿受室を形成し、更にリング型差込刃の最上端には螺旋道と噛み合う螺旋面を形成したことを特徴とする請求項１記載の操作が簡単な飲料混合装置。
【請求項３】
前記仕切膜は、最上面外周の貯留室内壁に接してリング溝を成形し、そのリング溝の一辺は貯留室内壁に沿って設置し、別辺は傾斜して設置し、リング溝の幅は下向きに狭めて仕切膜の最も薄く破りやすい箇所を形成し、リング型差込刃は上下の内孔を備え、底面に斜めに形成したリング状切刃を備え、該切刃はちょうど仕切膜の周辺縁上方に相対応する位置で該切刃の底端に刃点を突出形成し、刃点はリング溝に沿って仕切膜を破ることにより仕切膜は部分的にセパレート体に接続して開封されることを特徴とする請求項１もしくは２記載の操作が簡単な飲料混合装置。
【請求項４】
前記セパレート体は、外周に瓶口に対する密封リングを突設したことを特徴とする請求項１もしくは２記載の操作が簡単な飲料混合装置。
【請求項５】
前記セパレート体は、径方向に貯留室と容器を連通する流通孔を穿設し、またリング型差込刃の外周の流通孔上方には上漏止めリングを設置し、更に流通孔の下方には下漏止めリングを設置して流通孔を封鎖し、且つリング型差込刃外周と貯留室の間に環状隙間を形成し、且つリング型差込刃が下降して仕切膜を破るとき、それに伴って上漏止めリングが流通孔下方へ移動して容器とセパレート体内を流通し、またリング型差込刃には上漏止めリングの上方に径方向に貫通した分流孔を設置したことを特徴とする請求項１もしくは２記載の操作が簡単な飲料混合装置。
【請求項６】
前記貯留室内壁には、凸条を突設し、リング型差込刃の外周にはそれと掛合する凸部が設けて、瓶蓋の回転によってリング型差込刃を動かした時、このリング型差込刃は自転せずに上下線方向に移動するようにしたことを特徴とする請求項１もしくは２記載の操作が簡単な飲料混合装置。
【考案の詳細な説明】
【技術分野】
【０００１】
本考案は、容器内に予め充填された２種の飲料を飲用時に混合するための操作が簡単な飲料混合装置に関する。
瓶蓋に結合する四個の部材でモジュール化構造を形成し、それによって異なるメーカーの容器でも一体にセット可能で、飲料を混合する機能を達成する。この技術により、時間を大幅に節約し、効率を高める他に、更に経済の原則及び新規性に符合する。
現在の単一飲料の瓶を開ける方式を採用し、従来の時計と逆回しで瓶蓋を開ける方式によって、二種の飲料原料を混合して使用する。
【背景技術】
【０００２】
公知の飲料混合装置（例として特許文献１参照）には以下の問題がある。
異なるメーカーの飲料は、先ず先行して容器内に第一種飲料を充填する。次に第二種飲料を入れたセパレート体を容器の瓶口内に設置し、最後に瓶蓋を瓶口で締める。この種の構造は、製造時間がかかり、手間もかかり、経済効果を妨げる。
この瓶蓋を開ける方式は、現在の飲料容器の開け方と異なる。消費者は、先ず瓶蓋を時計回りに回して下げ、可動桿を下へ押圧して貯留室底部のバルブを開け、貯留室内の第二種飲料を下へ落とし、容器内の第一種飲料と混合して別の味の異なる飲料にする。次に時計と逆周りに瓶蓋を回転して上へ移動させて、瓶口を開け、該混合の飲料を出す。上記のように、該瓶蓋は先ず回転して下降させ、次に逆方向に回転して上方に移動する形式である。
【先行技術文献】
【特許文献】
【０００３】
【特許文献１】台湾  特許第Ｍ３４２９９７号
【特許文献２】特開２００６−１７６２０８号公報
【考案の概要】
【考案が解決しようとする課題】
【０００４】
解決しようとする問題点は、瓶蓋の開閉が現在の消費者の習慣とは異なるため、使用する際、非常に不便であり、且つ時間がかかり、力もかかる点である。
【課題を解決するための手段】
【０００５】
本考案は、瓶蓋、セパレート体及びリング型差込刃から構成される。瓶蓋は、容器の瓶口に設置する内ネジ山孔、容器の瓶口を閉める蓋板を備える。また蓋板の底面には下向き中空の螺旋道を設置し、該螺旋道の螺旋方向は、内ネジ山孔と反対で且つ同心に設置する。また蓋板の底面には螺旋道と内ネジ山孔の間に同心で螺合部を別に設置する。該螺合部の筋距離離と螺旋方向は、内ネジ山孔と同じで、それらを直接セパレート体最上縁の螺合停止部に当てて合わせる。このセパレート体は容器の瓶口内に差し込んで定位し、仕切膜で底部を封鎖し、上向き中空の貯留室を備え、そこに第二種飲料を溜める。また貯留室内にはリング型差込刃を設置し、そのリング型差込刃は螺旋道と合わさる螺旋面を備え、瓶蓋を緩めた時、瓶蓋の螺合部を徐々にセパレート体の螺合停止部から離し、且つリング型差込刃を下に押し下げて仕切膜を破り、貯留室を開き、第二種飲料を容器に既に入っている第一種飲料と混合することを最も主要な特徴とする。
【考案の効果】
【０００６】
本考案の操作が簡単な飲料混合装置は、下記の利点がある。
瓶蓋２０、セパレート体３０及びリング型差込刃４０は、予め一体化されたモジュール化構造で、異なるメーカーの物にも使用でき、飲料容器１０に直接組み込むことができる。この方式は、公知の方式の煩瑣な作業でスピーディにできなかったものを飲料が空気に触れる時間を大幅に短縮し、生産効率を有効に高め、経済効率に符合する。
消費者は通常の飲料容器と同様のやり方で蓋を開ければよく、時計と逆周りに瓶蓋２０を回せば二種飲料（原料）が混合され、瓶蓋２０を取って飲用する。公知の構造の不便を大幅に改善し、消費者が更に思うままに混合することができる。
【図面の簡単な説明】
【０００７】
【図１】本考案の分解指示図である。
【図２】本考案の組立外観指示図である。
【図３】本考案の組立断面指示図である。
【図４】本考案の容器との関係位置指示図である。
【図５】本考案の容器に設置する組立断面指示図である。
【図６】本考案の貯留室を開ける連続動作指示図である。
【図７】本考案の貯留室を開ける連続動作指示図である。
【図８】本考案の第二実施例指示図である。
【図９】本考案の第三実施例指示図である。
【図１０】本考案の第四実施例指示図である。
【考案を実施するための形態】
【０００８】
本考案の容器の瓶蓋は、容器の瓶口に螺合する内ネジ山、容器の瓶口を閉める蓋板を備える。また蓋板の内側底面には下向き中空の螺旋道を設け、該螺旋道の螺旋方向は、内ネジ山孔と反対で且つ同心に設置する。また蓋板の底面には螺旋道と内ネジ山孔の間に同心で螺合部を別に設置する。該螺合部の筋距離離と螺旋方向は、内ネジ山孔と同じで、それらを直接セパレート体最上縁の螺合停止部に当てて合わせる。このセパレート体は容器の瓶口内に差し込んで固定し、仕切膜で底部を封鎖した中空の貯留室を備え、そこに第二種飲料を溜める。また貯留室内にはリング型差込刃を設置し、そのリング型差込刃は螺旋道と合わさる螺旋面を備え、瓶蓋を緩めた時、瓶蓋の螺合部を徐々にセパレート体の螺合停止部から離し、且つリング型差込刃を下に押し下げて仕切膜を破り、貯留室を開封して第二種飲料を容器に既に入っている第一種飲料と混合する。
【０００９】
本考案の構造、特徴、及びその他目的を理解するため、更に実施例を挙げ、図を参照して説明する。
【実施例】
【００１０】
図１から図５にしめすとおり、本考案は、以下の構成からなる。
【００１１】
容器１０は、第一種飲料を入れる充填空間を備え、該容器１０の最上部は頚部が縮小した瓶口１１を形成し、瓶口１１の外周には外ネジ山１２を設置する。
【００１２】
瓶蓋２０は、容器１０に設置した外ネジ山１２に対応する内ネジ山を設けた開口２１、及び瓶口１１を塞ぐ蓋板２２を備える。該蓋板２２底面は、下向きに突出した中空の駆動桿２３を備え、該駆動桿２３最上縁の外周には下向き中空の螺旋道２４を成形する。該螺旋道２４の螺旋方向は、内ネジ山孔２１と反対で且つ同軸心とする。また、蓋板２２の底面には、螺旋道２４と内ネジ山２１の間に別に同心のリングパッド２５を突出して設け、該リングパッド２５の内周には内ネジ山孔２１と同じ螺旋間隔で螺旋方向も同じ螺合部２６を設ける。
【００１３】
瓶口１１に差し込んで定位するセパレート体３０は、仕切膜３１で底部を封鎖し、該セパレート体３０内に中空の貯留室３３を形成して第二種飲料を溜める空間を形成し、更に、仕切膜３１の最上面外周の貯留室３３内壁に接してリング溝３２を形成する。このリング溝３２の一辺は、貯留室３３内壁に沿って設け、別辺は傾斜して設けてリング溝３２幅を下向きに狭めて仕切膜３１の最も薄く破れる箇所を形成する。また、このセパレート体３０の最上縁外周には螺合部２６に対応する螺合停止部３４が設けられ、セパレート体３０の外周には別に瓶口１１としっかり合わさる二本の密封リング３５を凸設し、更に密封リング３５下方に径方向に複数個の流通孔３６を穿設する。図９に示すとおり、該流通孔３６の形状は任意に変えてもよい。この他、貯留室３３には流通孔３６上方に縦方向に四本の凸条３７を突設する。
【００１４】
貯留室３３内に設置するリング型差込刃４０は、上下に貫通した円筒形状であって、底面に斜めに形成したリング状切刃４１を設ける。該切刃４１は、ちょうど仕切膜３１周辺縁上方で相対する位置にあり、該切刃４１底端に該仕切膜を破るための刃点４２が突出成形される。また、リング型差込刃４０の最上縁は駆動桿２３を差し込む駆動桿受室４３を備え、更にリング型差込刃４０の最上端に螺旋道２４が噛み合う螺旋面４４を設ける。図６及び図７に示すとおり、瓶蓋２０を回して容器１０を開ける時、その回転に伴って瓶蓋２０の螺合部２６が徐々にセパレート体３０の螺合停止部３４から離れ、且つリング型差込刃４０を動かして下へ押し、刃点４２がリング溝３２に沿って仕切膜３１を破って、セパレート体３０の仕切膜３１を開封して、貯留室３３を開ける機能を達成し、貯留室３３内の第二種飲料を容器１０内の第一種飲料と混合する。図８は、更にリング型差込刃４０の形状を幾何学形状に変化させたものである。
【００１５】
図５，６，７に示すとおり、容器１０内に予め充填されている第一種飲料が，仕切膜３１を破る前に運送の過程で揺れて流通孔３６から貯留室３３へ入り、第二種飲料と混合してしまう状況を防止するため、本考案のリング型差込刃４０の外周の特に流通孔３６上方には漏止めリング４５を設置し、更に流通孔３６下方には下漏止めリング４６を設置する。それらによって、流通孔３６を完全に密封し、且つリング型差込刃４０外周と貯留室３３の間にリング形状の隙間を形成する。リング型差込刃４０が下降して刃点４２で仕切膜３１を破ると、同時に上漏止めリング４５は流通孔３６下方へ移動して、容器１０内で飲料を混合する流通孔３６を開通し、容器内の飲料をリング型差込刃４０外周と貯留室３３の間で流出する。図１０に示すとおり、前述のリング型差込刃４０の上、下漏止めリング４５、４６もまた一体成型構造を採用する。容器１０内の混合飲料をリング型差込刃４０内から流出させるため、本考案リング型差込刃４０には、特に上漏止めリング４５の上方に径方向に貫通した分流孔４７を設けて容器１０内の混合飲料をリング型差込刃４０の内部から分流孔４７を通じてリング型差込刃４０外周と貯留室３３の間に流通させる。
【００１６】
図１、５、６、７に示すとおり、リング型差込刃４０の外周の両凸条３７の間に相互に嵌合する凸部４８を設けることにより、瓶蓋２０を回転してリング型差込刃４０を動かした時、このリング型差込刃４０は自転せずに上下方向に移動する。
【００１７】
上述のとおり、本考案の技術特徴は現在のこの種の構造に於いて、未見であり、且つ進歩性を備えた設計であり。同種製品では類似の考案は未見であり、公開発表も見ていない。故に実用新案登録の申請要件に符合する。以上で述べたのは、本考案の一実施例に過ぎず、本考案の範囲を制限するものではなく、本考案の申請範囲に基づく変化及び就職はすべて本考案の範囲に属する。
【符号の説明】
【００１８】
１０        容器
１１        瓶口
１２        外ネジ山
２０        瓶蓋
２１        内ネジ山孔
２２        蓋板
２３        駆動桿
２４        螺旋道
２５        パッド
２６        螺合部
３０        セパレート体
３１        仕切膜
３２        リング溝
３３        貯留室
３４        螺合停止部
３５        密封リング
３６        流通孔
３７        凸条
４０        リング型差込刃
４１        切刃
４２        刃点
４３        駆動桿受室
４４        螺旋面
４５        上漏止めリング
４６        下漏止めリング
４７        分流孔
４８        凸部
【図１】
0003152288.tif 000003
【図２】
0003152288.tif 000004
【図３】
0003152288.tif 000005
【図４】
0003152288.tif 000006
【図５】
0003152288.tif 000007
【図６】
0003152288.tif 000008
【図７】
0003152288.tif 000009
【図８】
0003152288.tif 000010
【図９】
0003152288.tif 000011
【図１０】
0003152288.tif 000012